(57)【要約】【課題】  パス切り替えにより生ずるエラーが低減された伝送装置及び伝送方法を提供する。【解決手段】  伝送装置は、複数のスロットを有する第１フレーム及び第２フレームを生成する生成部と、第１パスを介し前記他装置に第１フレームを送信する第１送信部と、第２パスを介し他装置に第２フレームを送信する第２送信部と、データを第１フレームまたは第２フレームのスロットに収容する収容部と、データの収容先が第１フレームのスロットである場合、スロット内のデータの出力先のポートを、第１パスを介して他装置に通知し、データの収容先が第１フレームのスロットから第２フレームのスロットに切り替えられる場合、切り替え前に、第２フレームのスロットと出力先のポートの対応関係を、第２パスを介して他装置に通知する通知部とを有する。【選択図】図１６
2018046373.tif 000002
【特許請求の範囲】
【請求項１】
複数のポートを備える他装置にフレームを伝送する伝送装置において、
複数のスロットを有する第１フレーム及び第２フレームを生成する生成部と、
第１パスを介し前記他装置に前記第１フレームを送信する第１送信部と、
第２パスを介し前記他装置に前記第２フレームを送信する第２送信部と、
データを前記第１フレームまたは前記第２フレームのスロットに収容する収容部と、
前記データの収容先が前記第１フレームのスロットである場合、前記複数のポートのうち、当該スロット内の前記データの出力先のポートを、前記第１パスを介して前記他装置に通知し、前記データの収容先が前記第１フレームのスロットから前記第２フレームのスロットに切り替えられる場合、該切り替え前に、前記第２フレームの当該スロットと前記出力先のポートの対応関係を、前記第２パスを介して前記他装置に通知する通知部とを有することを特徴とする伝送装置。
【請求項２】
前記第１送信部は、前記データの収容先が前記第１フレームのスロットから前記第２フレームのスロットに切り替えられた後、前記第１フレームのスロットに収容される他のデータがない場合、前記第１フレームの送信を停止することを特徴とする請求項１に記載の伝送装置。
【請求項３】
前記収容部は、前記第１フレームまたは前記第２フレームのスロットのうち、前記データの伝送速度に応じたスロットから収容先のスロットを選択することを特徴とする請求項１または２に記載の伝送装置。
【請求項４】
前記通知部は、ＦｌｅｘＥｔｈｅｒｎｅｔに基づくオーバヘッドフレームを前記第１パス及び前記第２パスの各々について生成し、前記オーバヘッドフレームにより前記他装置に通知を行うことを特徴とする請求項１乃至３の何れかに記載の伝送装置。
【請求項５】
前記オーバヘッドフレームには、前記第１フレーム及び前記第２フレームのスロットに対応して前記データの前記出力先ポートを示すカレンダ情報が含まれており、
前記通知部は、前記カレンダ情報により前記他装置に通知を行うことを特徴とする請求項４に記載の伝送装置。
【請求項６】
複数のスロットを有する第１フレームを他装置から第１パスを介し受信する第１受信部と、
複数のスロットを有する第２フレームを前記他装置から第２パスを介し受信する第２受信部と、
データを前記第１フレームまたは前記第２フレームのスロットから取得する取得部と、
複数のポートとを有し、
前記取得部は、
前記データの収容先が前記第１フレームのスロットである場合、前記他装置から前記第１パスを介して、前記複数のポートのうち、当該スロット内の前記データの出力先のポートの通知を受け、前記通知に従い前記データを前記第１フレームのスロットから取得して前記出力先のポートから出力し、
前記データの収容先が前記第１フレームのスロットから前記第２フレームのスロットに切り替えられる場合、該切り替え前に、前記他装置から前記第２パスを介して、前記第２フレームの当該スロットと前記出力先のポートの対応関係の通知を受けることを特徴とする伝送装置。
【請求項７】
複数のポートを備える他装置にフレームを伝送する伝送方法において、
複数のスロットを有する第１フレーム及び第２フレームを生成し、
第１パスを介し前記他装置に前記第１フレームを送信し、
第２パスを介し前記他装置に前記第２フレームを送信し、
データを前記第１フレームまたは第２フレームのスロットに収容し、
前記データの収容先が前記第１フレームのスロットである場合、前記複数のポートのうち、当該スロット内の前記データの出力先のポートを、前記第１パスを介して前記他装置に通知し、
前記データの収容先が前記第１フレームのスロットから前記第２フレームのスロットに切り替えられる場合、該切り替え前に、前記第２フレームの当該スロットと前記出力先のポートの対応関係を、前記第２パスを介して前記他装置に通知することを特徴とする伝送方法。
【請求項８】
複数のスロットを有する第１フレームを他装置から第１パスを介し受信し、
複数のスロットを有する第２フレームを前記他装置から第２パスを介し受信し、
データを前記第１フレームまたは前記第２フレームのスロットから取得し、
前記データの収容先が前記第１フレームのスロットである場合、前記他装置から前記第１パスを介して、当該スロット内の前記データの出力先のポートの通知を受け、前記通知に従い前記データを前記第１フレームのスロットから取得して前記出力先のポートから出力し、
前記データの収容先が前記第１フレームのスロットから前記第２フレームのスロットに切り替えられる場合、該切り替え前に、前記他装置から前記第２パスを介して、前記第２フレームの当該スロットと前記出力先のポートの対応関係の通知を受けることを特徴とする伝送方法。
【発明の詳細な説明】
【技術分野】
【０００１】
本件は、伝送装置及び伝送方法に関する。
【背景技術】
【０００２】
ＯＩＦ（Optical Internetworking Group Forum）では、国際標準のイーサネットのデータレートとして規定されていない伝送速度のクライアント信号を１以上の１００ＧｂＥ（Gigabit Ethernet（登録商標、以下同様））の信号に多重化して収容する「Flex Ethernet」技術が検討されている。このようなクライアント信号としては、例えば１０（Gbps）、４０（Gbps）、２５（Gbps）などのイーサネット（登録商標、以下同様）信号が挙げられる。なお、１以上の１００ＧｂＥの信号のグループは「FlexE Group」と呼ばれる。
【０００３】
信号の多重化技術に関し、例えば特許文献１には、複数のチャネルのイーサネット信号を多重して、ＳＤＨ（Synchronous Digital Hierarchy）／ＳＯＮＥＴ（Synchronous Optical Network）フレームのペイロードに変換する技術が知られている。
【先行技術文献】
【特許文献】
【０００４】
【特許文献１】特開２００６−５５０６号公報
【発明の概要】
【発明が解決しようとする課題】
【０００５】
「Flex Ethernet」技術によると、クライアント信号を収容した各１００ＧｂＥの信号は別々のパスを介して送信される。１００ＧｂＥの信号の帯域を効率よく利用するためには、例えば、各クライアント信号の帯域の合計が１００（Gbps）以下である場合に各クライアント信号を同一の１００ＧｂＥの信号に収容することが望ましい。
【０００６】
しかし、この場合、送信中のクライアント信号の収容先を変更するため、そのクライアント信号のパスを切り替える必要が生じるので、例えば他のクライアント信号に対するパス切り替えの影響によってエラーが発生するおそれがある。
【０００７】
本発明は、パス切り替えにより生ずるエラーが低減された伝送装置及び伝送方法を提供することを目的とする。
【課題を解決するための手段】
【０００８】
１つの態様では、伝送装置は、複数のポートを備える他装置にフレームを伝送する伝送装置において、複数のスロットを有する第１フレーム及び第２フレームを生成する生成部と、第１パスを介し前記他装置に前記第１フレームを送信する第１送信部と、第２パスを介し前記他装置に前記第２フレームを送信する第２送信部と、データを前記第１フレームまたは前記第２フレームのスロットに収容する収容部と、前記データの収容先が前記第１フレームのスロットである場合、前記複数のポートのうち、当該スロット内の前記データの出力先のポートを、前記第１パスを介して前記他装置に通知し、前記データの収容先が前記第１フレームのスロットから前記第２フレームのスロットに切り替えられる場合、該切り替え前に、前記第２フレームの当該スロットと前記出力先のポートの対応関係を、前記第２パスを介して前記他装置に通知する通知部とを有する。
【０００９】
１つの態様では、伝送装置は、複数のスロットを有する第１フレームを他装置から第１パスを介し受信する第１受信部と、複数のスロットを有する第２フレームを前記他装置から第２パスを介し受信する第２受信部と、データを前記第１フレームまたは前記第２フレームのスロットから取得する取得部と、複数のポートとを有し、前記取得部は、前記データの収容先が前記第１フレームのスロットである場合、前記他装置から前記第１パスを介して、前記複数のポートのうち、当該スロット内の前記データの出力先のポートの通知を受け、前記通知に従い前記データを前記第１フレームのスロットから取得して前記出力先のポートから出力し、前記データの収容先が前記第１フレームのスロットから前記第２フレームのスロットに切り替えられる場合、該切り替え前に、前記他装置から前記第２パスを介して、前記第２フレームの当該スロットと前記出力先のポートの対応関係の通知を受ける。
【００１０】
１つの態様では、伝送方法は、複数のポートを備える他装置にフレームを伝送する伝送方法において、複数のスロットを有する第１フレーム及び第２フレームを生成し、第１パスを介し前記他装置に前記第１フレームを送信し、第２パスを介し前記他装置に前記第２フレームを送信し、データを前記第１フレームまたは第２フレームのスロットに収容し、前記データの収容先が前記第１フレームのスロットである場合、前記複数のポートのうち、当該スロット内の前記データの出力先のポートを、前記第１パスを介して前記他装置に通知し、前記データの収容先が前記第１フレームのスロットから前記第２フレームのスロットに切り替えられる場合、該切り替え前に、前記第２フレームの当該スロットと前記出力先のポートの対応関係を、前記第２パスを介して前記他装置に通知する方法である。
【００１１】
１つの態様では、伝送方法は、複数のスロットを有する第１フレームを他装置から第１パスを介し受信し、複数のスロットを有する第２フレームを前記他装置から第２パスを介し受信し、データを前記第１フレームまたは前記第２フレームのスロットから取得し、前記データの収容先が前記第１フレームのスロットである場合、前記他装置から前記第１パスを介して、当該スロット内の前記データの出力先のポートの通知を受け、前記通知に従い前記データを前記第１フレームのスロットから取得して前記出力先のポートから出力し、  前記データの収容先が前記第１フレームのスロットから前記第２フレームのスロットに切り替えられる場合、該切り替え前に、前記他装置から前記第２パスを介して、前記第２フレームの当該スロットと前記出力先のポートの対応関係の通知を受ける方法である。
【発明の効果】
【００１２】
１つの側面として、パス切り替えにより生ずるエラーを低減することができる。
【図面の簡単な説明】
【００１３】
【図１】伝送システムの一例を示す構成図である。
【図２】信号多重化装置及び信号分離装置の適用例を示す構成図である。
【図３】信号多重化装置及び信号分離装置の適用例を示す構成図である。
【図４】信号多重化装置及び信号分離装置の適用例を示す構成図である。
【図５】多重化フレームの一例を示す構成図である。
【図６】クライアント信号の多重化処理の一例を示す図である。
【図７】ＦｌｅｘＥオーバヘッドの一例を示す図である。
【図８】信号多重化装置の一例を示す構成図である。
【図９】多重化部の一例を示す構成図である。
【図１０】信号分離装置の一例を示す構成図である。
【図１１】クライアント信号の削除の一例を示す図である。
【図１２】クライアント信号の削除後の多重化処理の一例を示す図である。
【図１３】クライアント信号の削除処理の一例を示すシーケンス図である。
【図１４】クライアント信号のパス切り替えの一例を示す図である。
【図１５】クライアント信号のパス切り替え後の多重化処理の一例を示す図である。
【図１６】クライアント信号のパス切り替え処理の一例を示すシーケンス図である。
【図１７】同一の伝送速度の複数組のクライアント信号を伝送する場合の伝送システムの例を示す図である。
【図１８】伝送速度ごとに多重化フレームのスロットを固定する場合の多重化処理の一例を示す図である。
【図１９】カレンダの内容の変形例を示す図である。
【発明を実施するための形態】
【００１４】
図１は、伝送システムの一例を示す構成図である。伝送システムは、データの一例であるクライアント信号Ｓａ〜Ｓｄを多重化して伝送する信号多重化装置（ＭＵＸ）１と、多重化されたクライアント信号Ｓａ〜Ｓｄを受信して分離する信号分離装置（ＤＭＵＸ）２とを有する。なお、信号多重化装置１及び信号分離装置２は、それぞれ、伝送装置の一例である。
【００１５】
信号多重化装置１のポート＃１〜＃４には、国際標準のイーサネットのデータレートとして規定されていない伝送速度のクライアント信号Ｓａ〜Ｓｄが入力される。信号多重化装置１は、例えば「Flex Ethernet」技術に基づき各クライアント信号Ｓａ〜Ｓｄを多重化フレームに多重化し、一例として２つの物理的な１００ＧｂＥの通信回線Ｌ１，Ｌ２を介し信号分離装置２に伝送する。
【００１６】
通信回線Ｌ１は、信号多重化装置１と信号分離装置２を結ぶパスＰ１（例えば光ファイバ）に設けられ、通信回線Ｌ２は、信号多重化装置１と信号分離装置２を結ぶ他のパスＰ２（例えば光ファイバ）に設けられている。通信回線Ｌ１，Ｌ２は例えば１００ＧＢＡＳＥ−Ｒの技術に基づきイーサネットフレーム（イーサネット信号）を伝送する。なお、パスＰ１は第１パスの一例であり、パスＰ２は第２パスの一例である。
【００１７】
１００ＧｂＥの通信回線Ｌ１，Ｌ２は、「FlexE Group」と呼ばれるグループを構成し、イーサネットフレームに変換された多重化フレームを１００（Gbps）の伝送速度で伝送する。なお、クライアント信号Ｓａ〜Ｓｄとしては、例えば、ＩＴＵ−Ｔ（International Telecommunication Union Telecommunication standardization sector）勧告Ｇ．７０９／Ｙ．１３３１に規定されたＯＴＵ（Optical channel Transport Unit）信号が挙げられるが、これに限定されない。
【００１８】
信号分離装置２は、多重化フレームから各クライアント信号Ｓａ〜Ｓｄを分離して各ポート＃１〜＃４から出力する。このとき、信号分離装置２は、信号多重化装置１から通信回線Ｌ１，Ｌ２ごとに通知されたカレンダに基づいてクライアント信号Ｓａ〜Ｓｄを分離して各ポート＃１〜＃４から出力する。カレンダは、後述するように、各スロット内のクライアント信号が出力される出力先のポートを示すポート番号を示す。
【００１９】
多重化フレームには複数のスロットが設けられており、信号多重化装置１は、カレンダにより多重化フレーム内のスロットごとの出力先のポート番号を信号分離装置２に指示する。なお、以降の説明では、信号多重化装置１のポート＃１〜＃４をクライアント信号Ｓａ〜Ｓｄの「入力元ポート」と表記し、信号分離装置２のポート＃１〜＃４をクライアント信号Ｓａ〜Ｓｄの「出力先ポート」と表記する。
【００２０】
このように、信号多重化装置１は、国際標準のイーサネットのデータレートとして規定されていない伝送速度のクライアント信号Ｓａ〜Ｓｄを１００ＧｂＥのイーサネット信号に柔軟に収容して伝送することができる。
【００２１】
次に図２〜図４を参照し信号多重化装置１及び信号分離装置２の適用例を述べる。
【００２２】
図２の例において、信号多重化装置１は送信側のルータ８０に設けられ、信号分離装置２は受信側のルータ８１に設けられている。なお、本例及び以下の例では、説明の便宜上、伝送方向を、送信側のルータ８０から受信側のルータ８１に向かう一方向とするが、信号多重化装置１を受信側のルータ８１に設け、信号分離装置２を送信側のルータ８０に設ければ双方向伝送が可能となる。
【００２３】
ネットワークＮＷａには、ＲＯＡＤＭ（Reconfigurable Optical Add and Drop Multiplexer）のような波長多重伝送を行うトランスポンダ９０，９１が接続されている。送信側のルータ８０は、信号多重化装置１によりクライアント信号を多重化フレームに多重して２つの１００ＧｂＥの通信回線を介しトランスポンダ９０に伝送する。トランスポンダ９０は、多重化フレームを他信号と波長多重し、波長多重光信号として伝送する。このとき、トランスポンダ９０は、多重化フレームを終端せずにネットワークＮＷａを介して他方のトランスポンダ９１に伝送する。
【００２４】
トランスポンダ９１は、ネットワークＮＷａから波長多重光信号を受信して、波長多重光信号から送信側のルータ８０の多重化フレームを取得する。トランスポンダ９１は、多重化フレームを、２つの１００ＧｂＥの通信回線を介し受信側のルータ８１に伝送する。受信側のルータ８１は、信号分離装置２により多重化フレームからクライアント信号を分離して出力する。
【００２５】
このように、本例ではトランスポンダ９０，９１及びネットワークＮＷａが、信号多重化装置１及び信号分離装置２の間の通信を中継する。
【００２６】
また、図３の例において、信号多重化装置１は送信側のルータ８２及びトランスポンダ９３，９４に設けられ、信号分離装置２は受信側のルータ８３，８４及びトランスポンダ９２に設けられている。なお、本例では、図２の例と同様に、送信側のルータ８２から受信側のルータ８３，８４に向かう方向のみに伝送する場合を挙げている。
【００２７】
送信側のルータ８２には、クライアント信号として４０（Gbps）及び１５０（Gbps）の各ＯＴＮフレームが入力される。送信側のルータ８２は、信号多重化装置１によりクライアント信号を多重化フレームに多重して、２つの１００ＧｂＥの通信回線を介しトランスポンダ９２に伝送する。
【００２８】
トランスポンダ９２は、信号分離装置２により多重化フレームからクライアント信号として、４０（Gbps）及び１５０（Gbps）の各ＯＴＮフレームを分離してネットワークＮＷｂに出力する。４０（Gbps）のＯＴＮフレームは、ネットワークＮＷｂを介してトランスポンダ９４に入力され、１５０（Gbps）のＯＴＮフレームは、ネットワークＮＷｂを介してトランスポンダ９３に入力される。
【００２９】
トランスポンダ９４は、信号多重化装置１により４０（Gbps）のＯＴＮフレームを多重化フレームに多重して、２つの１００ＧｂＥの通信回線を介し受信側のルータ８４に伝送する。受信側のルータ８４は、信号分離装置２により多重化フレームから、クライアント信号として４０（Gbps）のＯＴＮフレームを分離して出力する。
【００３０】
トランスポンダ９３は、信号多重化装置１により１５０（Gbps）のＯＴＮフレームを多重化フレームに多重して、２つの１００ＧｂＥの通信回線を介し受信側のルータ８３に伝送する。受信側のルータ８３は、信号分離装置２により多重化フレームから、クライアント信号として１５０（Gbps）のＯＴＮフレームを分離して出力する。
【００３１】
このように、本例ではトランスポンダ９２が多重化フレームを終端することによって、多重化フレームから分離された４０（Gbps）及び１５０（Gbps）の各ＯＴＮフレームが、ネットワークＮＷｂを介し別々のトランスポンダ９４，９３に出力される。
【００３２】
また、図４の例において、信号多重化装置１は送信側のルータ８５に設けられ、信号分離装置２は受信側のルータ８６に設けられている。なお、本例では、図２の例と同様に、送信側のルータ８５から受信側のルータ８６に向かう方向のみに伝送する場合を挙げている。
【００３３】
ネットワークＮＷｃにはトランスポンダ９５，９６が接続されている。送信側のルータ８５には、１５０（Gbps）のＯＴＵフレームが入力される。送信側のルータ８５は、信号多重化装置１により１５０（Gbps）のＯＴＵフレームを多重化フレームに多重して２つの１００ＧｂＥの通信回線を介しトランスポンダ９５に伝送する。
【００３４】
トランスポンダ９５は、多重化フレームを終端せず、１５０（Gbps）のＯＴＵフレームと１００ＧｂＥの通信回線の通信帯域の差分を削除する。トランスポンダ９５は、点線枠内に示されるように、ＰＭＡ（Physical Medium Attachment）機能部９５０、デスキュー部９５１、レーン配列部９５２、デスクランブル部９５３、オーバヘッド（ＯＨ）検出部９５４、帯域削減部９５５、フレーム生成部９５６、及びフレーム送信部９５７を有する。
【００３５】
ＰＭＡ機能部９５０、デスキュー部９５１、レーン配列部９５２、及びデスクランブル部９５３は、１００ＧｂＥの通信回線ごとに設けられている。ＰＭＡ機能部９５０は、ＯＴＵフレームの信号をシリアル−パラレル変換して、複数のレーンを介しデスキュー部９５１に出力する。デスキュー部９５１は、各レーンのデータに挿入された同期パタンであるアライメントマーカを検出することにより、各レーンのデータ間のデスキュー処理を実行する。デスキューされたデータはレーン配列部９５２に入力される。
【００３６】
レーン配列部９５２は、アライメントマーカに含まれるレーン番号に基づき各データを正しいレーンに配列する。配列されたデータはデスクランブル部９５３に入力される。デスクランブル部９５３はデータをデスクランブルしてＯＨ検出部９５４に出力する。
【００３７】
ＯＨ検出部９５４はデータ（多重化フレーム）からＦｌｅｘＥオーバヘッドを検出する。ＯＨ検出部９５４は、ＦｌｅｘＥオーバヘッド内のカレンダから、１００ＧｂＥの通信回線に対するＯＴＵフレームの通信帯域の差分を検出して帯域削減部９５５に通知する。本例の場合、２つの１００ＧｂＥの通信回線に１５０（Gbps）のＯＴＵフレームが伝送されるため、５０（Gbps）（＝１００×２−１５０）の通信帯域が差分として検出される。なお、ＦｌｅｘＥオーバヘッドについては後述する。
【００３８】
帯域削減部９５５は、多重化フレームから通信帯域の差分に相当するスロットを削除してフレーム生成部９５６に出力する。これにより、帯域削減部９５５は多重化フレームの通信帯域の余剰分を削減する。フレーム生成部９５６は、通信帯域の余剰分が削減された多重化フレームから１５０（Gbps）のＯＴＵフレームを再構成してフレーム送信部９５７に出力する。
【００３９】
フレーム送信部９５７は、例えば変調器やレーザダイオードなどを含み、１５０（Gbps）のＯＴＵフレームをネットワークＮＷｃに送信する。なお、トランスポンダ９５の上記の各部９５０〜９５７は、ＦＰＧＡ（Field Programmable Gate Array）や光学部品などのハードウェア、またはハードウェア及びＣＰＵ（Central Processing Unit）などのプロセッサを駆動するソフトウェアの機能として構成される。
【００４０】
トランスポンダ９６は、ネットワークＮＷｃから１５０（Gbps）のＯＴＵフレームを受信する。トランスポンダ９６は、点線枠内に示されるように、フレーム受信部９６０、フレーム変換部９６１、オーバヘッド（ＯＨ）検出部９６２、帯域追加部９６３、スクランブル部９６４、レーン分配部９６５、マーカ挿入部９６６、及びＰＭＡ機能部９６７を有する。スクランブル部９６４、レーン分配部９６５、マーカ挿入部９６６、及びＰＭＡ機能部９６７は１００ＧｂＥの通信回線ごとに設けられている。
【００４１】
フレーム受信部９６０は、例えばフォトダイオードなどを含み、ＯＴＵフレームを受信する。ＯＴＵフレームはフレーム変換部９６１に入力される。フレーム変換部９６１は、ＯＴＵフレームを例えばＯＤＵ（Optical channel Data Unit）フレームに変換する。ＯＤＵフレームはＯＨ検出部９６２に入力される。
【００４２】
ＯＨ検出部９６２はＯＤＵフレームのデータ（多重化フレーム）からＦｌｅｘＥオーバヘッドを検出する。ＯＨ検出部９６２は、ＦｌｅｘＥオーバヘッド内のカレンダから、１００ＧｂＥの通信回線に対するＯＴＵフレームの通信帯域の差分を検出して帯域追加部９６３に通知する。本例の場合、２つの１００ＧｂＥの通信回線に１５０（Gbps）のＯＴＵフレームが伝送されるため、５０（Gbps）（＝１００×２−１５０）の通信帯域が差分として検出される。
【００４３】
帯域追加部９６３は、多重化フレームに通信帯域の差分に相当するスロットを追加して各スクランブル部９６４に出力する。これにより、帯域追加部９６３は、帯域削減部９５５により削減した多重化フレームの通信帯域の余剰分を多重化フレームに再び追加する。
【００４４】
スクランブル部９６４は、多重化フレームのデータをスクランブルしてレーン分配部９６５に出力する。レーン分配部９６５は、データを複数のレーンに分配してマーカ挿入部９６６に出力する。マーカ挿入部９６６は、同期パタンであるアライメントマーカを各レーンのデータに挿入してＰＭＡ機能部９６７に出力する。
【００４５】
ＰＭＡ機能部９６７は、データをパラレル−シリアル変換し、１００ＧｂＥの通信回線を介して受信側のルータ８６に送信する。なお、トランスポンダ９６の上記の各部９６０〜９６７は、ＦＰＧＡや光学部品などのハードウェア、またはハードウェア及びＣＰＵなどのプロセッサを駆動するソフトウェアの機能として構成される。
【００４６】
受信側のルータ８６は、信号分離装置２により多重化フレームからクライアント信号として、１５０（Gbps）のＯＴＵフレームを分離して出力する。
【００４７】
このように、本例ではトランスポンダ９５，９６が、１００ＧｂＥの通信回線とクライアント信号の通信帯域の差分を検出してその差分に基づきＯＴＮフレームの通信帯域を調整するため、ネットワークＮＷｃの通信帯域の無駄を省くことができる。
【００４８】
次に信号多重化装置１の多重化方式について説明する。
【００４９】
図５は、多重化フレームの一例を示す構成図である。各通信回線Ｌ１，Ｌ２では、一例として２０個のスロット（＃０，＃１，・・・，＃１９）を有する多重化フレームと、一例として１０２３個の多重化フレームの間に挿入されたＦｌｅｘＥオーバヘッド（「ＯＨ」参照）が伝送される。なお、多重化フレーム及びＦｌｅｘＥオーバヘッドは、図５の紙面右方向に順次に伝送される（「伝送順」参照）。
【００５０】
各スロットには例えば５（Gbps）相当のクライアント信号が収容される。このため、１つの多重化フレームには１００（Gbps）（＝５×２０）のクライアント信号が収容可能である。各スロット内のデータ形式は、一例として６６Ｂブロックが挙げられるが、これに限定されない。
【００５１】
また、ＦｌｅｘＥオーバヘッドには、各スロット内のクライアント信号の出力先ポートのポート番号を示すカレンダが収容されている。このため、信号分離装置２は、ＦｌｅｘＥオーバヘッドからカレンダを取得して、カレンダに従い多重化フレームからクライアント信号を分離して出力先ポートに出力することができる。
【００５２】
図６は、クライアント信号Ｓａ〜Ｓｄの多重化処理の一例を示す図である。図６において、クライアント信号Ｓａには６６Ｂブロックａ１，ａ２，ａ３，・・・が含まれ、クライアント信号Ｓｂには６６Ｂブロックｂ１，ｂ２，ｂ３，・・・が含まれている。また、クライアント信号Ｓｃには６６Ｂブロックｃ１，ｃ２，ｃ３，・・・が含まれ、クライアント信号Ｓｄには６６Ｂブロックｄ１，ｄ２，ｄ３，・・・が含まれている。
【００５３】
信号多重化装置１は、通信回線Ｌ１のパスＰ１に送信する多重化フレーム＃１と、通信回線Ｌ２のパスＰ２に送信する多重化フレーム＃２とを生成する。信号多重化装置１は、多重化フレーム＃１，＃２に対するクライアント信号Ｓａ〜Ｓｄのマッピング情報に従い、一例として、多重化フレーム＃１の各スロットにクライアント信号Ｓａ，Ｓｂの６６Ｂブロックを収容し、多重化フレーム＃２の各スロットにクライアント信号Ｓｃ，Ｓｄの６６Ｂブロックを収容する。なお、多重化フレーム＃１は第１フレームの一例であり、多重化フレーム＃２は第２フレームの一例である。
【００５４】
クライアント信号Ｓａの伝送速度は５０（Gbps）であるため、多重化フレーム＃１の１０個のスロットにクライアント信号Ｓａの６６Ｂブロックが収容される。クライアント信号Ｓｂの伝送速度は２５（Gbps）であるため、多重化フレーム＃１の５個のスロットにクライアント信号Ｓｂの６６Ｂブロックが収容される。
【００５５】
また、クライアント信号Ｓｃの伝送速度は４０（Gbps）であるため、多重化フレーム＃２の８個のスロットにクライアント信号Ｓｃの６６Ｂブロックが収容される。クライアント信号Ｓｄの伝送速度は１０（Gbps）であるため、多重化フレーム＃２の２個のスロットにクライアント信号Ｓｄの６６Ｂブロックが収容される。なお、信号多重化装置１は、クライアント信号Ｓａ〜Ｓｄのマッピングにおいて、通信回線Ｌ１，Ｌ２の通信帯域の利用効率が最適となるように、例えば６６Ｂブロックを１個おきにスロットに収容してもよい。
【００５６】
信号多重化装置１は、多重化フレーム＃１，＃２を交互に生成し、多重化フレーム＃１，＃２にクライアント信号Ｓａ〜Ｓｄを収容した後、ラウンドロビン方式に従い、通信回線Ｌ１，Ｌ２を介し多重化フレーム＃１，＃２をそれぞれ送信する。このとき、信号多重化装置１は、通信回線Ｌ１，Ｌ２ごとに、１０２３個の多重化フレーム＃１，＃２ごとに１個のＦｌｅｘＥオーバヘッドを挿入する。
【００５７】
図７は、ＦｌｅｘＥオーバヘッドの一例を示す図である。ＦｌｅｘＥオーバヘッドは、「Flex Ethernet」に基づくオーバヘッドフレームであり、６６Ｂブロックと同様に６６（Bit）のデータを有する。「同期」は、６６（Bit）中の２（Bit）の同期ヘッダビットを示す。また、「ビット位置」は、その残りの６４（Bit）の位置を示す。なお、「ｓｓ」で示される同期ヘッダビットには、０１または１０（２進数）のうち、任意のパタンが挿入される。
【００５８】
ＦｌｅｘＥオーバヘッドは、８個のブロック＃１〜＃８で１つのオーバヘッド（ＯＨ）フレームを構成する。ブロック＃１には、固定パタンの０ｘ４Ｂ（０ｘは１６進数表記を示す。）、「Ｃ」領域、「ＭＩ」領域、「ＦＬ」領域、「ＲＳ」領域、「グループ番号」、固定パタンの０ｘ５、及び固定パタンの０ｘ０００００００が含まれる。
【００５９】
「Ｃ」領域は、信号分離装置２に対するカレンダのＡ面及びＢ面の切り替えの通知に用いられる。「ＭＩ」領域には、マルチフレームＭＦの識別子が設定される。「ＦＬ」領域は、例えば通信回線Ｌ１，Ｌ２の障害通知に用いられる。「ＲＳ」領域は拡張用の予約領域である。なお、以降の「Reserved」領域も予約領域である。「グループ番号」は「FlexE Group」の番号である。
【００６０】
ブロック＃２には、「Ｃ」領域、「ＰＨＹマップ」、「ＰＨＹ番号」、及び「Reserved」領域が含まれる。「Ｃ」領域は上述したとおりである。「ＰＨＹマップ」は、同一の「FlexE Group」に属する通信回線Ｌ１，Ｌ２を示す。「ＰＨＹ番号」は、当該ＦｌｅｘＥオーバヘッドが伝送される通信回線Ｌ１，Ｌ２の識別番号である。
【００６１】
ブロック＃３には、「Ｃ」領域、「カレンダ（Ａ面）」、「カレンダ（Ｂ面）」、「ＣＲ」領域、「ＣＡ」領域、「Reserved」領域、及びＣＲＣ（Cyclic Redundancy Check）−１６が含まれる。「Ｃ」領域は上述したとおりである。「カレンダ（Ａ面）」及び「カレンダ（Ｂ面）」は２面構成されたカレンダ情報であり、「Ｃ」領域の値に応じて切り替えられて用いられる。
【００６２】
例えば、「Ｃ」領域の値が「０」である場合、「カレンダ（Ａ面）」が現用のカレンダとして用いられ、「カレンダ（Ｂ面）」は予備のカレンダとなる。また、「Ｃ」領域の値が「１」である場合、「カレンダ（Ｂ面）」が現用のカレンダとして用いられ、「カレンダ（Ａ面）」は予備のカレンダとなる。なお、現用のカレンダとは、クライアント信号のマッピング及びデマッピングに用いられるカレンダであり、予備のカレンダとは、クライアント信号のマッピング及びデマッピングに用いらず、カレンダの変更内容を予め反映しておくためのカレンダである。
【００６３】
したがって、信号多重化装置１は、カレンダを変更する場合、予備のカレンダの内容を変更した後、「Ｃ」領域の値により現用のカレンダを切り替えることにより変更後のカレンダを現用のカレンダとする。なお、１つのオーバヘッドフレームには３か所の「Ｃ」領域が存在するが、本例では、３か所の「Ｃ」領域の値の全部が変更されたときにＡ面とＢ面が切り替えられるものとする。
【００６４】
「カレンダ（Ａ面）」及び「カレンダ（Ｂ面）」には、符号Ｈ０で示されるように、それぞれ、出力先ポートを示す８（Bit）の出力先ポート番号と、入力元ポートを示す８（Bit）の入力元ポート番号が含まれる。なお、出力先ポート番号は、図１における信号分離装置２のポート番号＃１〜＃４であり、入力元ポート番号は、図１における信号多重化装置１のポート番号＃１〜＃４である。
【００６５】
「ＣＲ」領域は、信号多重化装置１から信号分離装置２に対するカレンダの変更の通知に用いられる。「ＣＲ」領域の値が「０」である場合、カレンダの変更がないことを示し、「ＣＲ」領域の値が「１」である場合、カレンダが変更されたことを示す。
【００６６】
信号分離装置２は「ＣＲ」領域の値に基づきカレンダの変更を検出する。信号分離装置２は、カレンダの変更を検出した場合、変更されたカレンダに基づき、自装置におけるクライアント信号の予備のデマッピング情報を予め変更して、「カレンダ（Ａ面）」及び「カレンダ（Ｂ面）」の切り替えに備える。そして、信号分離装置２は、信号多重化装置１のノード宛ての（伝送方向が逆の）ＦｌｅｘＥオーバヘッドの「ＣＡ」領域を用いて、切り替えの準備が完了したことを通知する。
【００６７】
例えば、「ＣＡ」領域の値が「０」である場合、信号分離装置２における切り替えの準備が未完了であることを示し、「ＣＡ」領域の値が「１」である場合、信号分離装置２における切り替えの準備が完了したことを示す。なお、信号分離装置２は、例えば自装置と同一ノードの信号多重化装置１が送信するＦｌｅｘＥオーバヘッドの「ＣＡ」領域を用いて、自装置に対向する信号多重化装置１に切り替えの準備の完了を通知する。
【００６８】
また、ＣＲＣ−１６は、ブロック＃３内の他領域のデータ誤りの検出及び訂正に用いられる。
【００６９】
ブロック＃４〜＃８には、信号多重化装置１と信号分離装置２の間の監視制御チャネルとして用いられる。信号多重化装置１と信号分離装置２は、監視制御チャネルに収容された監視制御情報により監視制御を行う。
【００７０】
ＦｌｅｘＥオーバヘッドマルチフレームＭＦは、３２個のオーバヘッドフレームにより構成される。前半の１６個のオーバヘッドフレームの「ＭＩ」領域の値は「０」を示し、後半の１６個のオーバヘッドフレームの「ＭＩ」領域の値は「１」を示す。また、各オーバヘッドフレームの「ＰＨＹマップ」は、全部で２５６（Bit）の「ＰＨＹマップ」を８（Bit）単位で示す。
【００７１】
また、前半の１６個のオーバヘッドフレームの各「カレンダ（Ａ面）」及び「カレンダ（Ｂ面）」は、多重化フレーム＃１，＃２のスロット＃０〜＃１５に対応する。後半の１６個のオーバヘッドフレームのうち、最初の５個のオーバヘッドフレームの各「カレンダ（Ａ面）」及び「カレンダ（Ｂ面）」は、多重化フレーム＃１，＃２のスロット＃１６〜＃１９に対応する。つまり、各オーバヘッドフレーム内の「カレンダ（Ａ面）」及び「カレンダ（Ｂ面）」は、多重化フレーム＃１，＃２のスロット＃０〜＃１５に対応してクライアント信号Ｓａ〜Ｓｄの出力先ポートを示す。このため、多重化フレーム＃１，＃２のスロット＃０〜＃１９のマッピングは、２０個のオーバヘッドフレームの各「カレンダ（Ａ面）」及び「カレンダ（Ｂ面）」により決定される。
【００７２】
次に信号多重化装置１の構成を述べる。
【００７３】
図８は、信号多重化装置１の一例を示す構成図である。信号多重化装置１は、制御部１００と、メモリ１０１と、複数の受信ポート１０２と、複数の６４Ｂ／６６Ｂ変換ブロック１０３と、複数のアイドル挿入部１０４と、多重化部（ＭＵＸ）１０５とを有する。信号多重化装置１は、さらに通信回線Ｌ１，Ｌ２ごとに、オーバヘッド（ＯＨ）挿入部１０６、スクランブル部１０７、レーン分配部１０８、マーカ挿入部１０９、ＰＭＡ機能部１１０、及び送信ポート１１１を有する。
【００７４】
受信ポート１０２、６４Ｂ／６６Ｂ変換ブロック１０３、及びアイドル挿入部１０４はクライアント信号ごとに設けられる。受信ポート１０２は、例えばフォトダイオードなどを含み、クライアント信号を受信する。クライアント信号は受信ポート１０２から６４Ｂ／６６Ｂ変換ブロック１０３に出力される。なお、受信ポート１０２は上記の入力元ポート＃１〜＃Ｎ（Ｎ：正の整数）に該当する。
【００７５】
６４Ｂ／６６Ｂ変換ブロック１０３は、クライアント信号のデータを６４Ｂ／６６Ｂ変換する。これにより、クライアント信号のデータは６６Ｂブロックに変換される。６６Ｂブロックはアイドル挿入部１０４に入力される。
【００７６】
アイドル挿入部１０４は６６Ｂブロック間にアイドルパタンを挿入する。アイドルパタンは、インターフレームギャップ、ＦｌｅｘＥオーバヘッド、及びアライメントマーカのスペースがデータ内に確保されるように、そのデータ量に応じた分だけ挿入される。６６Ｂブロックはアイドル挿入部１０４から多重化部１０５に入力される。
【００７７】
多重化部１０５は、制御部１００の制御に従って多重化フレームを生成し、多重化フレーム内の各スロット＃０〜＃１９に６６Ｂブロックを収容する。これにより、クライアント信号は多重化フレームにマッピングされる。６６Ｂブロックを収容した多重化フレームは、ＯＨ挿入部１０６に出力される。
【００７８】
ＯＨ挿入部１０６は６６Ｂブロック間に多重化フレームの間にＦｌｅｘＥオーバヘッドを挿入する。ＦｌｅｘＥオーバヘッドは制御部１００からＯＨ挿入部１０６に入力される。
【００７９】
制御部１００は、メモリ１０１に記憶されたマッピング情報１０１ａに従い、多重化部１０５にマッピングを指示する。マッピング情報１０１ａには、例えばクライアント信号ごとにその伝送速度に応じたスロット＃０〜＃１９の割り当て、及び信号分離装置２における出力先ポートのポート番号の割り当てに関する情報が含まれる。
【００８０】
図９は、多重化部１０５の一例を示す構成図である。多重化部１０５は、フレーム生成部１２０、マッピング部１２１、フレーム分配部１２３、選択信号生成部１２４、複数のセレクタ１２５、及び複数のバッファ１２６を有する。
【００８１】
フレーム生成部１２０は、生成部の一例であり、制御部１００からの制御に従い通信回線Ｌ１，Ｌ２ごとに多重化フレーム＃１，＃２を生成する。多重化フレーム＃１，＃２はマッピング部１２１に入力される。マッピング部１２１は、多重化フレーム＃１，＃２を保持し、セレクタ１２５から入力されたクライアント信号の６６Ｂブロックを多重化フレーム＃１，＃２に収容する。
【００８２】
選択信号生成部１２４は、制御部１００からの制御に従い、各セレクタ１２５に出力する選択信号を生成する。選択信号には、例えば、クライアント信号ごとに６６Ｂブロックの収容先の多重化フレーム＃１，＃２の番号とスロット＃０〜＃１９の番号が含まれている。
【００８３】
バッファ１２６は、クライアント信号ごとに設けられ、クライアント信号の６６Ｂブロックを格納する。バッファ１２６の一例としては、例えばＦＩＦＯ（Fist-In First-Out）バッファが挙げられるが、これに限定されない。バッファ１２６に格納された６６Ｂブロックは、セレクタ１２５により順次に読み出される。
【００８４】
セレクタ１２５は、クライアント信号ごとに設けられ、マッピング部１２１内の多重化フレーム＃１または多重化フレーム＃２のスロット＃０〜＃１９のうち、選択信号に応じたスロットを選択し、そのスロットに６６Ｂブロックを出力する。これにより、各クライアント信号の６６Ｂブロックは、図６に示されるように、多重化フレーム＃１，＃２内のスロット＃０〜＃１９に収容される。
【００８５】
つまり、セレクタ１２５及びマッピング部１２１は、収容部の一例であり、各クライアント信号を多重化フレーム＃１または多重化フレーム＃２のスロット＃０〜＃１９に収容する。クライアント信号を収容した多重化フレーム＃１，＃２はフレーム分配部１２３に入力される。
【００８６】
フレーム分配部１２３は多重化フレーム＃１，＃２を通信回線Ｌ１，Ｌ２にそれぞれ分配する。より具体的には、フレーム分配部１２３は、多重化フレーム＃１を通信回線Ｌ１に対応するＯＨ挿入部１０６に出力し、多重化フレーム＃２を通信回線Ｌ２に対応するＯＨ挿入部１０６に出力する。
【００８７】
再び図８を参照すると、制御部１００は、マッピング情報１０１ａに基づき、通信回線Ｌ１，Ｌ２ごとにＦｌｅｘＥオーバヘッドを生成して各ＯＨ挿入部１０６に出力する。例えば、制御部１００は、マッピング情報１０１ａからカレンダを生成して、ＦｌｅｘＥオーバヘッドの「カレンダ（Ａ面）」及び「カレンダ（Ｂ面）」に挿入する。
【００８８】
これにより、制御部１００は、例えばクライアント信号の収容先が多重化フレーム＃１のスロット＃０〜＃１９である場合、そのスロット＃０〜＃１９に対応する出力先ポートを、パスＰ１を介し信号分離装置２に通知する。このため、信号分離装置２は、多重化フレーム＃１から分離したクライアント信号を、その対応する出力先ポートから出力することができる。なお、制御部１００は通知部の一例である。
【００８９】
また、制御部１００は、カレンダを変更する場合、後述するように、一連のシーケンスにおいてＦｌｅｘＥオーバヘッド内の「ＣＲ」領域及び「Ｃ」領域を制御する。このシーケンスでは、信号多重化装置１は、自装置と同一ノード内の信号分離装置２から逆方向のＦｌｅｘＥオーバヘッド内の「ＣＡ」領域を受信する。制御部１００は、マッピング情報１０１ａの変更によりカレンダを変更する。
【００９０】
スクランブル部１０７は、ＯＨ挿入部１０６から入力された６６Ｂブロックのスクランブル処理を行う。スクランブル処理された６６Ｂブロックはレーン分配部１０８に入力される。レーン分配部１０８は６６Ｂブロックを複数のレーンに分配する。６６Ｂブロックは複数のレーンを介しマーカ挿入部１０９に入力される。
【００９１】
マーカ挿入部１０９は６６Ｂブロックの間にアライメントマーカを挿入する。ＰＭＡ機能部１１０は、マーカ挿入部１０９から入力された６６Ｂブロックをパラレル−シリアル変換して送信ポート１１１に出力する。
【００９２】
送信ポート１１１は、例えば変調器やレーザダイオードなどを含み、パスＰ１，Ｐ２を介し６６Ｂブロックをイーサネットフレームとして信号分離装置２に送信する。すなわち、通信回線Ｌ１に対応する送信ポート１１１は、第１送信部の一例であり、パスＰ１を介し信号分離装置２に多重化フレーム＃１を送信する。また、通信回線Ｌ２に対応する送信ポート１１１は、第２送信部の一例であり、パスＰ２を介し信号分離装置２に多重化フレーム＃２を送信する。なお、信号多重化装置１の上記の各部１００〜１１１は、ＦＰＧＡや光学部品などのハードウェア、またはハードウェア及びＣＰＵなどのプロセッサを駆動するソフトウェアの機能として構成される。
【００９３】
次に信号分離装置２の構成を述べる。
【００９４】
図１０は、信号分離装置２の一例を示す構成図である。信号分離装置２は、通信回線Ｌ１，Ｌ２ごとに、受信ポート２０２、ＰＭＡ機能部２０３、デスキュー部２０４、レーン配列部２０５、デスクランブル部２０６、及びオーバヘッド（ＯＨ）検出部２０７を有する。信号分離装置２は、さらに、制御部２００、メモリ２０１、分離部（ＤＭＵＸ）２０８、複数のアイドル削除部２０９、複数の６４Ｂ／６６Ｂ変換部２１０、複数の送信ポート２１１を有する。
【００９５】
受信ポート２０２は、例えばフォトダイオードなどを含み、パスＰ１，Ｐ２を介しイーサネットフレームを受信する。すなわち、通信回線Ｌ１に対応する受信ポート２０２は、第１受信部の一例であり、信号多重化装置１からパスＰ１を介し多重化フレーム＃１を受信する。また、通信回線Ｌ２に対応する受信ポート２０２は、第２受信部の一例であり、信号多重化装置１からパスＰ２を介し多重化フレーム＃２を受信する。受信ポート２０２で受信されたイーサネットフレームの６６ＢブロックはＰＭＡ機能部２０３に入力される。
【００９６】
ＰＭＡ機能部２０３は、６６Ｂブロックをシリアル−パラレル変換して、複数のレーンを介しデスキュー部２０４に出力する。デスキュー部２０４は、各レーンの６６Ｂブロックの間に挿入されたアライメントマーカを検出することにより、各レーンの６６Ｂブロック間のデスキュー処理を実行する。デスキューされた６６Ｂブロックはレーン配列部２０５に入力される。
【００９７】
レーン配列部２０５は、アライメントマーカに含まれるレーン番号に基づき各６６Ｂブロックを正しいレーンに配列する。配列された６６Ｂブロックはデスクランブル部２０６に入力される。デスクランブル部２０６は６６ＢブロックをデスクランブルしてＯＨ検出部２０７に出力する。
【００９８】
ＯＨ検出部２０７は、６６Ｂブロックの中からＦｌｅｘＥオーバヘッドを検出する。ＯＨ検出部２０７は、例えばＦｌｅｘＥオーバヘッド内の固定パタンやＦｌｅｘＥオーバヘッドの周期などに基づきＦｌｅｘＥオーバヘッドを検出し、制御部２００に出力する。
【００９９】
制御部２００は、ＦｌｅｘＥオーバヘッドのブロック＃３から「カレンダ（Ａ面）」及び「カレンダ（Ｂ面）」を取り出し、「カレンダ（Ａ面）」及び「カレンダ（Ｂ面）」からクライアント信号のデマッピング情報２０１ａを生成する。デマッピング情報２０１ａには、Ａ面及びＢ面のそれぞれについて、通信回線Ｌ１，Ｌ２ごとの多重化フレーム＃１，＃２の各スロット＃０〜＃１９に収容された６６Ｂブロックの出力先ポート番号が含まれている。制御部２００は、デマッピング情報２０１ａをメモリ２０１に記憶させる。
【０１００】
ＯＨ検出部２０７は、ＦｌｅｘＥオーバヘッドを除く６６Ｂブロックを分離部２０８に出力する。分離部２０８は、通信回線Ｌ１，Ｌ２ごとのデマッピング部２２０と、フレーム分配部２２１とを有する。
【０１０１】
通信回線Ｌ１に対応するデマッピング部２２０は、制御部２００からの制御に従い、多重化フレーム＃１から６６Ｂブロックを取得し、通信回線Ｌ２に対応するデマッピング部２２０は、制御部２００からの制御に従い、多重化フレーム＃２から６６Ｂブロックを取得する。例えば、制御部２００は、デマッピング情報２０１ａに基づき、多重化フレーム＃１，＃２のスロット＃０〜＃１９のうち、６６Ｂブロックが収容されたスロットを分離部２０８に指示する。
【０１０２】
このとき、デマッピング情報２０１ａには「カレンダ（Ａ面）」及び「カレンダ（Ｂ面）」の両方に対応する情報が含まれるが、制御部２００は、Ａ面とＢ面から現用のカレンダに対応する情報を選択して、選択した情報に基づき指示を行う。
【０１０３】
このため、デマッピング部２２０は、６６Ｂブロックが収容されていないスロットから６６Ｂブロックの取得処理を行わない。なお、６６Ｂブロックの未収容のスロットに対応するカレンダの値は、例えば０ｘ００００（未使用）または０ｘＦＦＦＦ（使用不可）である。デマッピング部２２０は、取得した６６Ｂブロックをフレーム分配部２２１に出力する。
【０１０４】
フレーム分配部２２１は、制御部２００からの指示に従い、６６Ｂブロックを各アイドル削除部２０９に分配する。制御部２００は、デマッピング情報２０１ａに基づき、多重化フレーム＃１，＃２のスロット＃０〜＃１９ごとに出力先ポート番号をフレーム分配部２２１に指示する。フレーム分配部２２１は、６６Ｂブロックを出力先ポート番号に応じたアイドル削除部２０９に出力する。例えば出力先ポート番号が＃１である場合、６６Ｂブロックは、送信ポート（＃１）２１１に対応するアイドル削除部２０９に出力される。
【０１０５】
このように、ＦｌｅｘＥオーバヘッドは、信号多重化装置１から信号分離装置２に対するスロット＃０〜＃１９ごとのクライアント信号の出力先ポートの通知として機能する。すなわち、制御部２００は、クライアント信号の６６Ｂブロックの収容先が多重化フレーム＃１のスロット＃０〜＃１９である場合、信号多重化装置１からパスＰａを介して当該スロット内の６６Ｂブロックの出力先ポート（送信ポート２１１）の通知を受ける。また、デマッピング部２２０は、その通知に従い、６６Ｂブロックを多重化フレーム＃１から取得して出力先ポートから出力する。なお、制御部２００及び分離部２０８は、クライアント信号を多重化フレーム＃１または多重化フレーム＃２から取得する取得部として機能する。
【０１０６】
また、制御部２００は、カレンダが変更される場合、後述するように、一連のシーケンスにおいてＦｌｅｘＥオーバヘッド内の「ＣＲ」領域及び「Ｃ」領域に基づき動作する。このシーケンスでは、信号分離装置２は、自装置と同一ノード内の信号多重化装置１が送信する逆方向のＦｌｅｘＥオーバヘッド内の「ＣＡ」領域を制御する。制御部２００は、カレンダ情報の変更に伴いマッピング情報１０１ａを変更する。
【０１０７】
アイドル削除部２０９は、６６Ｂブロック間のアイドルパタンを削除する。アイドルパタンを削除された６６Ｂブロックは６４Ｂ／６６Ｂ変換部２１０に入力される。６４Ｂ／６６Ｂ変換部２１０は、６６Ｂブロックを６４Ｂブロックに変換して送信ポート２１１に出力する。
【０１０８】
送信ポート２１１は、例えば変調器やレーザダイオードなどを含み、６４Ｂブロックをクライアント信号として送信する。送信ポート２１１は、ポートの一例であり、出力先ポート＃１〜＃Ｎに該当する。なお、信号分離装置２の上記の各部２００〜２１１は、ＦＰＧＡや光学部品などのハードウェア、またはハードウェア及びＣＰＵなどのプロセッサを駆動するソフトウェアの機能として構成される。
【０１０９】
次にカレンダの変更について述べる。まず、クライアント信号を削除する例を挙げる。
【０１１０】
図１１は、クライアント信号Ｓａの削除の一例を示す図である。図１１において、図１と共通する構成には同一の符号を付し、その説明を省略する。
【０１１１】
本例では、図１のクライアント信号Ｓａ〜Ｓｄのうち、クライアント信号Ｓａを削除する場合を挙げる。クライアント信号Ｓａが削除された場合、通信回線Ｌ１にはクライアント信号Ｓｂのみが伝送される。
【０１１２】
図１２は、クライアント信号Ｓａの削除後の多重化処理の一例を示す図である。図１２において、図６と共通する内容については説明を省略する。
【０１１３】
通信回線Ｌ１の多重化フレーム＃１のスロット＃０〜＃１９のうち、削除されたクライアント信号Ｓａが収容されていたスロットは空きスロットとなる（点線参照）。このため、多重化フレーム＃１にはクライアント信号Ｓｂのみが収容されている。
【０１１４】
図１３は、クライアント信号Ｓｂの削除処理の一例を示すシーケンス図である。本例では、Ａ面のカレンダを現用のカレンダとし、Ｂ面のカレンダを予備のカレンダとする。また、本例において、クライアント信号Ｓａは、削除前、多重化フレーム＃１のスロット＃ｘ（ｘ：０，１，・・・，１９の中の１０個の整数）に収容されているとする。
【０１１５】
信号多重化装置１において、制御部１００は、通信回線Ｌ１のＦｌｅｘＥオーバヘッド（ブロック＃３）に対し、クライアント信号Ｓａの収容先のスロット＃ｘの「カレンダ（Ｂ面）」を変更する（ステップＳ１）。より具体的には、制御部１００はスロット＃ｘの「カレンダ（Ｂ面）」の値を０ｘ００００（未使用）にする。
【０１１６】
制御部１００は、「カレンダ（Ｂ面）」が変更されたＦｌｅｘＥオーバヘッドを、パスＰ１を介し信号分離装置２に送信する。符号Ｈ１は、ＦｌｅｘＥオーバヘッドの「カレンダ（Ａ面）」及び「カレンダ（Ｂ面）」の内容を示す。
【０１１７】
「カレンダ（Ｂ面）」の出力先ポート番号及び入力元ポート番号は、それぞれ、０ｘ００（未使用）である。また、クライアント信号Ｓａは、信号多重化装置１の入力元ポート＃１から信号分離装置２の出力先ポート＃１に出力されるため、「カレンダ（Ａ面）」の出力先ポート番号及び入力元ポート番号は、それぞれ、０ｘ０１（＃１）である。
【０１１８】
信号分離装置２の制御部２００は、「カレンダ（Ｂ面）」が変更されたＦｌｅｘＥオーバヘッドを受信するが、ＦｌｅｘＥオーバヘッドの「ＣＲ」領域の値が「０」であるため、カレンダの変更を検出できない。
【０１１９】
次に、信号多重化装置１において、制御部１００は、ＦｌｅｘＥオーバヘッド（ブロック＃３）の「ＣＲ」領域の値を「０」から「１」に変更することにより、カレンダの変更を信号分離装置２に通知する（ステップＳ２）。制御部１００は、「ＣＲ」領域の値が「１」であるＦｌｅｘＥオーバヘッドを、パスＰ１を介し信号分離装置２に送信する。
【０１２０】
信号分離装置２において、制御部２００は、「ＣＲ」領域の値が「１」であるＦｌｅｘＥオーバヘッドを受信する。制御部２００は、「ＣＲ」領域の値が「１」であるため、「カレンダ（Ｂ面）」の変更を検出し、Ｂ面のカレンダを変更する（ステップＳ３）。より具体的には、制御部２００は、予備であるＢ面のカレンダに対応するデマッピング情報２０１ａにおいて、通信回線Ｌ１に関し、クライアント信号Ｓａの収容先のスロット＃ｘを空きスロットに設定する。これにより、信号分離装置２は、クライアント信号Ｓａを削除するためのカレンダの切り替えの準備が完了する。
【０１２１】
次に、制御部２００は、自装置と同一ノードの信号多重化装置（通信相手の信号多重化装置１とは別の信号多重化装置）により、「ＣＡ」領域の値が「１」であるＦｌｅｘＥオーバヘッドを（通信相手の）信号多重化装置１に送信する。これにより、信号分離装置２は、信号多重化装置１にクライアント信号Ｓａを削除するためのカレンダの切り替えの準備が完了したことを通知する。
【０１２２】
信号多重化装置１において、制御部１００は、「ＣＡ」領域の値が「１」であるＦｌｅｘＥオーバヘッドを受信する。これにより、制御部１００は、信号分離装置２におけるカレンダの切り替えの準備の完了を検出する。
【０１２３】
次に、制御部１００は、「Ｃ」領域の値を「０」から「１」に変更した３つのＦｌｅｘＥオーバヘッド（ブロック＃１〜＃３）を、パスＰ１を介し信号分離装置２に送信する。これにより、制御部１００は、信号分離装置２に現用のカレンダをＢ面のカレンダとするように指示する。
【０１２４】
次に、制御部１００は、変更後のＢ面のカレンダに基づきマッピング情報１０１ａを変更する（ステップＳ４）。より具体的には、制御部１００は、マッピング情報１０１ａにおいて、多重化フレーム＃１のスロット＃ｘを未使用に設定する。これにより、マッピング部１２１は、クライアント信号Ｓａを多重化フレーム＃１のスロット＃ｘに収容することを停止する。
【０１２５】
また、信号分離装置２において、制御部２００は、「Ｃ」領域の値が「１」である３つのＦｌｅｘＥオーバヘッドを受信する。これにより、制御部２００は、信号多重化装置１からクライアント信号Ｓａの削除の指示を受ける。
【０１２６】
次に、制御部２００は、現用のカレンダをＡ面のカレンダからＢ面のカレンダに切り替えることにより、通信回線Ｌ１のデマッピング部２２０のデマッピング処理を変更する（ステップＳ５）。より具体的には、制御部２００は、Ｂ面のカレンダに対応するデマッピング情報２０１ａに基づきデマッピング部２２０を制御する。このため、デマッピング部２２０は、多重化フレーム＃１のスロット＃ｘからのクライアント信号Ｓａの取得を停止する。
【０１２７】
このように、信号多重化装置１の制御部１００は、クライアント信号Ｓａを多重化フレーム＃１から削除する場合、その削除前に、信号分離装置２の制御部２００に削除対象のクライアント信号Ｓａのスロット＃ｘを通知する。このため、信号多重化装置１と信号分離装置２は、クライアント信号Ｓａを削除するタイミングを合わせることができる。したがって、信号多重化装置１と信号分離装置２は、クライアント信号Ｓａの削除により生ずるエラーを低減することができる。
【０１２８】
再び図１１を参照すると、クライアント信号Ｓａの削除後、通信回線Ｌ１にはクライアント信号Ｓｂのみが収容されているため、通信回線Ｌ１の通信帯域は２５（Gbps）分だけが使用されている。一方、通信回線Ｌ２にはクライアント信号Ｓｃ，Ｓｄが収容されているため、通信回線Ｌ２の通信帯域は５０（Gbps）（＝４０＋１０）分だけが使用されている。このため、通信回線Ｌ１の通信帯域の余剰分は７５（Gbps）（＝１００−２５）であり、通信回線Ｌ２の通信帯域の余剰分は５０（Gbps）（＝１００−５０）である。
【０１２９】
したがって、通信回線Ｌ１，Ｌ２の余剰分の合計は、１２５（Gbps）（＝７５＋５０）となり、１つの通信回線Ｌ１，Ｌ２の通信帯域を超えるため、通信帯域の利用効率が低くなる。そこで、例えば、クライアント信号ＳｂのパスをパスＰ１からパスＰ２に切り替えることにより、クライアント信号Ｓｂを通信回線Ｌ２に収容することが考えられる。
【０１３０】
図１４は、クライアント信号Ｓｂのパス切り替えの一例を示す図である。図１４において、図１と共通する構成には同一の符号を付し、その説明を省略する。
【０１３１】
本例において、通信回線Ｌ２にはクライアント信号Ｓｂ〜Ｓｃが収容され、通信回線Ｌ１に収容されたクライアント信号はない。このため、通信回線Ｌ２の通信帯域の使用分は７５（Gbps）（＝２５＋４０＋１０）となり、通信回線Ｌ２の通信帯域の利用効率が図１１の例より改善される。
【０１３２】
一方、通信回線Ｌ１の通信帯域の使用分は０（Gbps）となるが、例えば、新たに１００（Gbps）のクライアント信号を追加する場合、そのクライアント信号を通信回線Ｌ１に収容することができるため、通信回線Ｌ１の通信帯域を効率よく利用することができる。
【０１３３】
図１５は、クライアント信号Ｓｂのパス切り替え後の多重化処理の一例を示す図である。図１５において、図６と共通する内容については説明を省略する。
【０１３４】
クライアント信号Ｓｂ〜Ｓｄのデータは通信回線Ｌ２に収容されて伝送される。一方、通信回線Ｌ１に収容するクライアント信号はない（点線参照）。このため、信号多重化装置１は、通信回線Ｌ１を介し多重化フレーム＃１を送信する必要がない。したがって、信号多重化装置１は、通信回線Ｌ１による送信に関する機能部をスリープ状態とすることにより消費電力を低減することができる。
【０１３５】
しかし、この場合、送信中のクライアント信号Ｓｂのパスを切り替える必要が生じるので、例えば他のクライアント信号Ｓｃ，Ｓｄに対するパス切り替えの影響によってエラーが発生するおそれがある。そこで、信号多重化装置１及び信号分離装置２は、図１３に示されたシーケンスと同様のシーケンスを実行することによりエラーを低減する。
【０１３６】
図１６は、クライアント信号Ｓｂのパス切り替え処理の一例を示すシーケンス図である。本例では、Ａ面のカレンダを現用のカレンダとし、Ｂ面のカレンダを予備のカレンダとする。また、本例では、クライアント信号Ｓｂの収容先が多重化フレーム＃１のスロット＃ｙ（ｙ：０，１，・・・，１９の中の５個の整数）から多重化フレーム＃２のスロット＃ｚ（ｚ：０，１，・・・，１９の中の５個の整数）に切り替える場合を挙げる。
【０１３７】
信号多重化装置１において、制御部１００は、一方の通信回線Ｌ１のＦｌｅｘＥオーバヘッド（ブロック＃３）に対し、クライアント信号Ｓｂの収容先のスロット＃ｙの「カレンダ（Ｂ面）」を変更する（ステップＳ１１）。より具体的には、制御部１００はスロット＃ｙの「カレンダ（Ｂ面）」の値を０ｘ００００（未使用）にする。
【０１３８】
制御部１００は、「カレンダ（Ｂ面）」が変更されたＦｌｅｘＥオーバヘッドを、パスＰ１を介し信号分離装置２に送信する。符号Ｈ２は、ＦｌｅｘＥオーバヘッドの「カレンダ（Ａ面）」及び「カレンダ（Ｂ面）」の内容を示す。
【０１３９】
「カレンダ（Ｂ面）」の出力先ポート番号及び入力元ポート番号は、それぞれ、０ｘ００（未使用）である。また、クライアント信号Ｓｂは、信号多重化装置１の入力元ポート＃２から信号分離装置２の出力先ポート＃２に出力されるため、「カレンダ（Ａ面）」の出力先ポート番号及び入力元ポート番号は、それぞれ、０ｘ０２（＃２）である。
【０１４０】
このように、制御部１００は、クライアント信号Ｓｂの収容先が多重化フレーム＃１のスロット＃ｙである場合、スロット＃ｙ内のクライアント信号の出力先ポートを、パスＰ１を介して信号分離装置２に通知する。このため、信号分離装置２のデマッピング部２２０は、多重化フレーム＃１のスロット＃ｙからクライアント信号Ｓｂを取得して出力先ポートから出力することができる。
【０１４１】
すなわち、信号分離装置２の制御部２００は、クライアント信号Ｓｂの収容先が多重化フレーム＃１のスロット＃ｙである場合、信号多重化装置１からパスＰ１を介して、スロット＃ｙ内のクライアント信号Ｓｂの出力先のポートの通知を受ける。デマッピング部２２０は、通知に従いクライアント信号Ｓｂを多重化フレーム＃１のスロット＃ｙから取得して出力先ポートから出力する。
【０１４２】
また、信号分離装置２の制御部２００は、パスＰ１を介し、「カレンダ（Ｂ面）」が変更されたＦｌｅｘＥオーバヘッドを受信するが、ＦｌｅｘＥオーバヘッドの「ＣＲ」領域の値が「０」であるため、カレンダの変更を検出できない。
【０１４３】
次に、制御部１００は、他方の通信回線Ｌ２のＦｌｅｘＥオーバヘッド（ブロック＃３）に対し、クライアント信号Ｓｂの変更後の収容先のスロット＃ｚ（ｚ：正の整数）の「カレンダ（Ｂ面）」を変更する（ステップＳ１２）。より具体的には、制御部１００はスロット＃ｚの「カレンダ（Ｂ面）」の値を０ｘ０１０１にする。なお、スロット＃ｚは未使用のスロットであるとする。
【０１４４】
制御部１００は、「カレンダ（Ｂ面）」が変更されたＦｌｅｘＥオーバヘッドを、パスＰ２を介し信号分離装置２に送信する。符号Ｈ３は、ＦｌｅｘＥオーバヘッドの「カレンダ（Ａ面）」及び「カレンダ（Ｂ面）」の内容を示す。
【０１４５】
クライアント信号Ｓｂは、信号多重化装置１の入力元ポート＃２から信号分離装置２の出力先ポート＃２に出力されるため、「カレンダ（Ｂ面）」の出力先ポート番号及び入力元ポート番号は、それぞれ、０ｘ０２（＃２）である。また、スロット＃ｚは未使用であるため、「カレンダ（Ａ面）」の出力先ポート番号及び入力元ポート番号は、それぞれ、０ｘ００（未使用）である。
【０１４６】
信号分離装置２の制御部２００は、パスＰ２を介し、「カレンダ（Ｂ面）」が変更されたＦｌｅｘＥオーバヘッドを受信するが、ＦｌｅｘＥオーバヘッドの「ＣＲ」領域の値が「０」であるため、カレンダの変更を検出できない。
【０１４７】
次に、信号多重化装置１において、制御部１００は、通信回線Ｌ１，Ｌ２の各ＦｌｅｘＥオーバヘッド（ブロック＃３）の「ＣＲ」領域の値を「０」から「１」に変更することにより、カレンダの変更を信号分離装置２に通知する（ステップＳ１３）。制御部１００は、「ＣＲ」領域の値が「１」であるＦｌｅｘＥオーバヘッドを、パスＰ１，Ｐ２を介し信号分離装置２に送信する。
【０１４８】
信号分離装置２において、制御部２００は、パスＰ１，Ｐ２を介し、「ＣＲ」領域の値が「１」であるＦｌｅｘＥオーバヘッドを受信する。制御部２００は、「ＣＲ」領域の値が「１」であるため、「カレンダ（Ｂ面）」の変更を検出し、Ｂ面のカレンダを変更する（ステップＳ１４）。より具体的には、制御部２００は、予備であるＢ面のカレンダに対応するデマッピング情報２０１ａにおいて、一方の通信回線Ｌ１に関し、クライアント信号Ｓｂの収容先のスロット＃ｙを空きスロットに設定する。
【０１４９】
また、制御部２００は、予備であるＢ面のカレンダに対応するデマッピング情報２０１ａにおいて、他方の通信回線Ｌ２に関し、多重化フレーム＃２のスロット＃ｚをクライアント信号Ｓｂの新たな収容先に設定する。つまり、制御部２００は、デマッピング情報２０１ａに対し、多重化フレーム＃２のスロット＃ｚに収容されたクライアント信号Ｓｂの出力先ポートを設定する。
【０１５０】
これにより、信号分離装置２は、クライアント信号Ｓｂのパス切り替えのためのカレンダの切り替えの準備が完了する。
【０１５１】
次に、制御部２００は、自装置と同一ノードの信号多重化装置（通信相手の信号多重化装置１とは別の信号多重化装置）により、「ＣＡ」領域の値が「１」であるＦｌｅｘＥオーバヘッドを（通信相手の）信号多重化装置１に送信する。これにより、信号分離装置２は、信号多重化装置１にクライアント信号Ｓｂのパス切り替えのためのカレンダの切り替えの準備が完了したことを通知する。
【０１５２】
信号多重化装置１において、制御部１００は、「ＣＡ」領域の値が「１」であるＦｌｅｘＥオーバヘッドを受信する。これにより、制御部１００は、信号分離装置２におけるカレンダの切り替えの準備の完了を検出する。
【０１５３】
次に、制御部１００は、「Ｃ」領域の値を「０」から「１」に変更した３つのＦｌｅｘＥオーバヘッド（ブロック＃１〜＃３）を、パスＰ１，Ｐ２を介し信号分離装置２に送信する。これにより、制御部１００は、通信回線Ｌ１，Ｌ２の両方について信号分離装置２に現用のカレンダをＢ面のカレンダとするように指示する。
【０１５４】
次に、制御部１００は、通信回線Ｌ１，Ｌ２の両方について、変更後のＢ面のカレンダに基づきマッピング情報１０１ａを変更する（ステップＳ１５）。より具体的には、制御部１００は、マッピング情報１０１ａにおいて、一方の通信回線Ｌ１に関し、多重化フレーム＃１の各スロット＃ｙを未使用に設定する。これにより、マッピング部１２１は、クライアント信号Ｓｂを多重化フレーム＃１の各スロット＃ｙに収容することを停止する。
【０１５５】
また、制御部１００は、マッピング情報１０１ａにおいて、他方の通信回線Ｌ２に関し、多重化フレーム＃２のスロット＃ｚの収容対象をクライアント信号Ｓｂに設定する。これにより、マッピング部１２１は、クライアント信号Ｓｂを多重化フレーム＃２のスロット＃ｚに収容する。
【０１５６】
また、信号分離装置２において、制御部２００は、パスＰ１，Ｐ２を介し「Ｃ」領域の値が「１」である３つのＦｌｅｘＥオーバヘッドを受信する。これにより、制御部２００は、信号多重化装置１からクライアント信号Ｓｂのパス切り替えの指示を受ける。
【０１５７】
次に、制御部２００は、通信回線Ｌ１，Ｌ２の両方について、現用のカレンダをＡ面のカレンダからＢ面のカレンダに切り替えることにより、通信回線Ｌ１，Ｌ２のデマッピング部２２０のデマッピング処理を変更する（ステップＳ１６）。より具体的には、制御部２００は、Ｂ面のカレンダに対応するデマッピング情報２０１ａに基づきデマッピング部２２０を制御する。このため、デマッピング部２２０は、多重化フレーム＃１の各スロット＃ｙからのクライアント信号Ｓｂの取得を停止し、多重化フレーム＃２のスロット＃ｚからクライアント信号Ｓｂの取得を開始する。
【０１５８】
また、信号多重化装置１において、制御部１００は、多重化フレーム＃１のスロットに収容される他のクライアント信号がないことを検出して、フレーム生成部１２０に対し多重化フレーム＃１の生成及び出力の停止を指示する（ステップＳ１７）。このため、通信回線Ｌ１の送信ポート１１１は、多重化フレーム＃１の送信を停止する。これにより、通信回線Ｌ１の送信ポート１１１は、制御部１００の制御に従いスリープ状態に制御する。
【０１５９】
このように、通信回線Ｌ１の送信ポート１１１は、多重化フレーム＃１のスロットに収容される他のクライアント信号がない場合、多重化フレーム＃１の送信を停止する。このため、信号多重化装置１は消費電力を低減することができる。
【０１６０】
本例のシーケンスにおいて、信号多重化装置１の制御部１００は、通信回線Ｌ２のＦｌｅｘＥオーバヘッドの「カレンダ（Ｂ面）」にクライアント信号Ｓｂの収容先の変更を反映し（ステップＳ１２）、その変更を「ＣＲ」領域により信号分離装置２に通知する（ステップＳ１３）。その後、制御部１００は、クライアント信号Ｓｂの収容先の変更に応じてマッピング情報１０１ａを変更する（ステップＳ１５）。
【０１６１】
つまり、制御部１００は、クライアント信号Ｓｂの収容先を多重化フレーム＃１のスロット＃ｙから多重化フレーム＃２のスロット＃ｚに切り替える場合、その切り替え前に多重化フレーム＃２のスロット＃ｚと出力先ポート＃２の対応関係を、パスＰ２を介して信号分離装置２に通知する。
【０１６２】
一方、信号分離装置２の制御部２００は、信号多重化装置１がクライアント信号Ｓｂの収容先を変更する（ステップＳ１５）前に、信号多重化装置１から通信回線Ｌ２のＦｌｅｘＥオーバヘッドの「カレンダ（Ｂ面）」及び「ＣＲ」領域により、その変更の通知を受ける（ステップＳ１２、Ｓ１３）。
【０１６３】
つまり、制御部２００は、クライアント信号Ｓｂの収容先を多重化フレーム＃１のスロット＃ｙから多重化フレーム＃２のスロット＃ｚに切り替える場合、その切り替え前に、信号多重化装置１からパスＰ２を介して、多重化フレーム＃２のスロット＃ｚと出力先ポート＃２の対応関係の通知を受ける。
【０１６４】
このため、信号分離装置２は、信号多重化装置１がクライアント信号Ｓｂの収容先を変更する前にその変更を認識することができる。したがって、信号分離装置２は、クライアント信号Ｓｂの収容先の変更に先立って、その変更をデマッピング情報２０１ａに反映するなどの変更の準備をすることができる。これにより、信号多重化装置１及び信号分離装置２は、パス切り替えにより生ずるエラーを低減することができる。
【０１６５】
また、本例のシーケンスにおいて、信号多重化装置１の制御部１００は、パスＰ１，Ｐ２の各々についてＦｌｅｘＥオーバヘッドを生成し、ＦｌｅｘＥオーバヘッドにより信号分離装置２に通知を行う。このため、信号多重化装置１は、「Flex Ethernet」技術に基づくフレーム伝送を行い、上記の多重化に関する利点を得ることができる。
【０１６６】
さらに、制御部１００は、「カレンダ（Ａ面）」及び「カレンダ（Ｂ面）」により信号分離装置２に通知を行う。このため、制御部１００は、信号分離装置２に対し、マッピング情報１０１ａに基づき容易に出力先ポートを通知することができる。
【０１６７】
本実施例において、信号多重化装置１の多重化部１０５は、セレクタ１２５によりクライアント信号Ｓｂの収容先を多重化フレーム＃１または多重化フレーム＃２の全てのスロット＃０〜＃１９から選択することができる。しかし、セレクタ１２５の選択対象のスロット数が多いため、セレクタ１２５の回路規模が大きくなるおそれがある。とりわけ、現用系と予備系の関係にある同一の伝送速度の複数組のクライアント信号が信号多重化装置１に入力される場合、セレクタ１２５の数が増加するために多重化部１０５全体の回路規模が増加する。
【０１６８】
そこで、セレクタ１２５は、多重化フレーム＃１または多重化フレーム＃２のスロット＃０〜＃１９のうち、クライアント信号の伝送速度に応じたスロットから収容先のスロットを選択してもよい。つまり、伝送速度ごとに多重化フレーム＃１，＃２のスロットを固定してもよい。この場合、セレクタ１２５の選択対象のスロット数がクライアント信号の伝送速度に応じて低減されるため、セレクタ１２５の回路規模を低減することができる。
【０１６９】
図１７は、同一の伝送速度の複数組のクライアント信号Ｓａ〜Ｓｈを伝送する場合の伝送システムの例を示す図である。図１７において、図１と共通する構成には同一の符号を付し、その説明を省略する。
【０１７０】
信号多重化装置１には、４０（Gbps）のクライアント信号Ｓａ，Ｓｂ，Ｓｅ，Ｓｆと１０（Gbps）のクライアント信号Ｓｃ，Ｓｄ，Ｓｇ，Ｓｈが入力される。クライアント信号Ｓａとクライアント信号Ｓｅ、クライアント信号Ｓｂとクライアント信号Ｓｆ、クライアント信号Ｓｃとクライアント信号Ｓｇ、及びクライアント信号Ｓｄとクライアント信号Ｓｈは現用系と予備系の関係にあるとする。
【０１７１】
クライアント信号Ｓａ〜Ｓｄは、多重化フレーム＃１に収容されて通信回線Ｌ１を介し信号分離装置２に送信される。また、クライアント信号Ｓｅ〜Ｓｈは、多重化フレーム＃２に収容されて通信回線Ｌ２を介し信号分離装置２に送信される。
【０１７２】
信号分離装置２は、通信回線Ｌ１を介し多重化フレーム＃１を受信し、多重化フレーム＃１からクライアント信号Ｓａ〜Ｓｄを分離して出力する。また、信号分離装置２は、通信回線Ｌ２を介し多重化フレーム＃２を受信し、多重化フレーム＃２からクライアント信号Ｓｅ〜Ｓｈを分離して出力する。
【０１７３】
図１８は、伝送速度ごとに多重化フレーム＃１、＃２のスロット＃０〜＃１９を固定する場合の多重化処理の一例を示す図である。図１８において、図６と共通する内容の説明は省略する。
【０１７４】
一例として、多重化フレーム＃１、＃２のスロット＃０〜＃３は、１０（Gbps）のクライアント信号を収容するための１０Ｇ用スロットとして用いられる。また、多重化フレーム＃１、＃２のスロット＃４〜＃１９は、４０（Gbps）のクライアント信号を収容するための４０Ｇ用スロットとして用いられる。
【０１７５】
このため、クライアント信号Ｓａのデータａ１，ａ２とクライアント信号Ｓｂのデータｂ１，ｂ２は、多重化フレーム＃１のスロット＃０〜＃３に収容される。クライアント信号Ｓｃのデータｃ１〜ｃ８とクライアント信号Ｓｄのデータｄ１〜ｄ８は、多重化フレーム＃１のスロット＃４〜＃１９に収容される。
【０１７６】
また、クライアント信号Ｓｅのデータｅ１，ｅ２とクライアント信号Ｓｆのデータｆ１，ｆ２は、多重化フレーム＃２のスロット＃０〜＃３に収容される。また、クライアント信号Ｓｇのデータｇ１〜ｇ８とクライアント信号Ｓｈのデータｈ１〜ｈ８は、多重化フレーム＃２のスロット＃４〜＃１９に収容される。
【０１７７】
このように、伝送速度ごとに多重化フレーム＃１，＃２のスロットが固定されているため、セレクタ１２５の選択対象のスロット数がクライアント信号の伝送速度に応じて低減され、セレクタ１２５の回路規模が低減される。
【０１７８】
また、ＦｌｅｘＥオーバヘッドの「カレンダ（Ａ面）」及び「カレンダ（Ｂ面）」には、図７に示されるように、８（Bit）の出力先ポート番号及び入力元ポート番号が含まれている。出力先ポート番号は、多重化フレーム＃１，＃２のスロット＃０〜＃１９と信号分離装置２の送信ポート２１１の対応関係を規定する。また、入力元ポート番号は、例えば、信号分離装置２においてクライアント信号の識別に用いられる。
【０１７９】
このように、「カレンダ（Ａ面）」及び「カレンダ（Ｂ面）」に出力先ポート番号及び入力元ポート番号を規定すれば、出力先ポート番号及び入力元ポート番号を＃０〜＃１５の範囲から指定することができるが、「カレンダ（Ａ面）」及び「カレンダ（Ｂ面）」は上記に限定されない。
【０１８０】
図１９は、カレンダの内容の変形例を示す図である。例えば符号Ｈ４に示されるように、「カレンダ（Ａ面）」及び「カレンダ（Ｂ面）」には１６（Bit）の出力先ポート番号だけが含まれてもよい。本例によると、出力先ポート番号の範囲を＃０〜＃２５５にまで拡張することができる。
【０１８１】
また、符号Ｈ５に示されるように、「カレンダ（Ａ面）」及び「カレンダ（Ｂ面）」には６（Bit）の出力先ポート番号、５（Bit）の回線番号、及び５（Bit）のスロット番号が含まれてもよい。本例によると、出力先ポート番号の範囲を＃０〜＃６３にまで拡張することができる。
【０１８２】
また、回線番号により通信回線Ｌ１，Ｌ２の指定が可能となり、スロット番号によりスロット＃０〜＃１９の指定が可能となる。このため、信号分離装置２において、クライアント信号の管理が容易となる。
【０１８３】
上述した実施形態は本発明の好適な実施の例である。但し、これに限定されるものではなく、本発明の要旨を逸脱しない範囲内において種々変形実施可能である。
【０１８４】
なお、以上の説明に関して更に以下の付記を開示する。
（付記１）  複数のポートを備える他装置にフレームを伝送する伝送装置において、
複数のスロットを有する第１フレーム及び第２フレームを生成する生成部と、
第１パスを介し前記他装置に前記第１フレームを送信する第１送信部と、
第２パスを介し前記他装置に前記第２フレームを送信する第２送信部と、
データを前記第１フレームまたは前記第２フレームのスロットに収容する収容部と、
前記データの収容先が前記第１フレームのスロットである場合、前記複数のポートのうち、当該スロット内の前記データの出力先のポートを、前記第１パスを介して前記他装置に通知し、前記データの収容先が前記第１フレームのスロットから前記第２フレームのスロットに切り替えられる場合、該切り替え前に、前記第２フレームの当該スロットと前記出力先のポートの対応関係を、前記第２パスを介して前記他装置に通知する通知部とを有することを特徴とする伝送装置。
（付記２）  前記第１送信部は、前記データの収容先が前記第１フレームのスロットから前記第２フレームのスロットに切り替えられた後、前記第１フレームのスロットに収容される他のデータがない場合、前記第１フレームの送信を停止することを特徴とする付記１に記載の伝送装置。
（付記３）  前記収容部は、前記第１フレームまたは前記第２フレームのスロットのうち、前記データの伝送速度に応じたスロットから収容先のスロットを選択することを特徴とする付記１または２に記載の伝送装置。
（付記４）  前記通知部は、ＦｌｅｘＥｔｈｅｒｎｅｔに基づくオーバヘッドフレームを前記第１パス及び前記第２パスの各々について生成し、前記オーバヘッドフレームにより前記他装置に通知を行うことを特徴とする付記１乃至３の何れかに記載の伝送装置。
（付記５）  前記オーバヘッドフレームには、前記第１フレーム及び前記第２フレームのスロットに対応して前記データの前記出力先ポートを示すカレンダ情報が含まれており、
前記通知部は、前記カレンダ情報により前記他装置に通知を行うことを特徴とする付記４に記載の伝送装置。
（付記６）  複数のスロットを有する第１フレームを他装置から第１パスを介し受信する第１受信部と、
複数のスロットを有する第２フレームを前記他装置から第２パスを介し受信する第２受信部と、
データを前記第１フレームまたは前記第２フレームのスロットから取得する取得部と、
複数のポートとを有し、
前記取得部は、
前記データの収容先が前記第１フレームのスロットである場合、前記他装置から前記第１パスを介して、前記複数のポートのうち、当該スロット内の前記データの出力先のポートの通知を受け、前記通知に従い前記データを前記第１フレームのスロットから取得して前記出力先のポートから出力し、
前記データの収容先が前記第１フレームのスロットから前記第２フレームのスロットに切り替えられる場合、該切り替え前に、前記他装置から前記第２パスを介して、前記第２フレームの当該スロットと前記出力先のポートの対応関係の通知を受けることを特徴とする伝送装置。
（付記７）  複数のポートを備える他装置にフレームを伝送する伝送方法において、
複数のスロットを有する第１フレーム及び第２フレームを生成し、
第１パスを介し前記他装置に前記第１フレームを送信し、
第２パスを介し前記他装置に前記第２フレームを送信し、
データを前記第１フレームまたは第２フレームのスロットに収容し、
前記データの収容先が前記第１フレームのスロットである場合、前記複数のポートのうち、当該スロット内の前記データの出力先のポートを、前記第１パスを介して前記他装置に通知し、
前記データの収容先が前記第１フレームのスロットから前記第２フレームのスロットに切り替えられる場合、該切り替え前に、前記第２フレームの当該スロットと前記出力先のポートの対応関係を、前記第２パスを介して前記他装置に通知することを特徴とする伝送方法。
（付記８）  前記データの収容先が前記第１フレームのスロットから前記第２フレームのスロットに切り替えられた後、前記第１フレームのスロットに収容される他のデータがない場合、前記第１フレームの送信を停止することを特徴とする付記７に記載の伝送方法。
（付記９）  前記第１フレームまたは前記第２フレームのスロットのうち、前記データの伝送速度に応じたスロットから前記データの収容先のスロットを選択することを特徴とする付記７または８に記載の伝送方法。
（付記１０）  ＦｌｅｘＥｔｈｅｒｎｅｔに基づくオーバヘッドフレームを前記第１パス及び前記第２パスの各々について生成し、前記オーバヘッドフレームにより前記他装置に通知を行うことを特徴とする付記７乃至９の何れかに記載の伝送方法。
（付記１１）  前記オーバヘッドフレームには、前記第１フレーム及び前記第２フレームのスロットに対応して前記データの前記出力先ポートを示すカレンダ情報が含まれており、
前記カレンダ情報により前記他装置に通知を行うことを特徴とする付記１０に記載の伝送方法。
（付記１２）  複数のスロットを有する第１フレームを他装置から第１パスを介し受信し、
複数のスロットを有する第２フレームを前記他装置から第２パスを介し受信し、
データを前記第１フレームまたは前記第２フレームのスロットから取得し、
前記データの収容先が前記第１フレームのスロットである場合、前記他装置から前記第１パスを介して、当該スロット内の前記データの出力先のポートの通知を受け、前記通知に従い前記データを前記第１フレームのスロットから取得して前記出力先のポートから出力し、
前記データの収容先が前記第１フレームのスロットから前記第２フレームのスロットに切り替えられる場合、該切り替え前に、前記他装置から前記第２パスを介して、前記第２フレームの当該スロットと前記出力先のポートの対応関係の通知を受けることを特徴とする伝送方法。
【符号の説明】
【０１８５】
１                                              信号多重化装置
２                                              信号分離装置
１００，２００                                  制御部
１０２，２０２                                  受信ポート
１２０                                          フレーム生成部
１２１                                          マッピング部
１２５                                          セレクタ
１１１，２１１                                  送信ポート
２０８                                          分離部
Ｐ１，Ｐ２                                      パス
Ｓａ〜Ｓｈ                                      クライアント信号
【図１】
2018046373.tif 000003
【図２】
2018046373.tif 000004
【図３】
2018046373.tif 000005
【図４】
2018046373.tif 000006
【図５】
2018046373.tif 000007
【図６】
2018046373.tif 000008
【図７】
2018046373.tif 000009
【図８】
2018046373.tif 000010
【図９】
2018046373.tif 000011
【図１０】
2018046373.tif 000012
【図１１】
2018046373.tif 000013
【図１２】
2018046373.tif 000014
【図１３】
2018046373.tif 000015
【図１４】
2018046373.tif 000016
【図１５】
2018046373.tif 000017
【図１６】
2018046373.tif 000018
【図１７】
2018046373.tif 000019
【図１８】
2018046373.tif 000020
【図１９】
2018046373.tif 000021